(57)【特許請求の範囲】
【請求項１】
前身頃の両側部と後身頃の両側部とがそれぞれ接合されてサイドシール部が形成されることにより、ウエスト開口部及び左右一対の脚開口部がそれぞれ形成され、
少なくとも股間部を含む領域に、肌当接面を構成する液透過性表面シートと、不透液性バックシートと、これらの間に介在された吸収体とが設けられ、
少なくとも股間部の幅方向両側部に、おむつ内面から肌側に突出する立体ギャザーがそれぞれ設けられた、パンツタイプ使い捨ておむつにおいて、
前記肌当接面が外面となる裏返し状態とされ、且つ
前記サイドシール部は、前身頃の肌非当接面と後身頃の肌非当接面とを対向させて接合することにより形成されており、
前記液透過性表面シートと前記不透液性バックシートとの間に前記吸収体が介在されてなり、背側から股間部を通り腹側までを覆うように形成された内装体と、この内装体の外面における少なくとも前後のウエスト側端部に張り付けられ、少なくとも胴回りを覆うように形成された外装シートとを備えており、
前記立体ギャザーは、前記内装体の裏面における幅方向両側部から前記内装体の両側を経て前記内装体の表面側に達するように設けられており、
前記立体ギャザーは、前記内装体の裏面における幅方向両側部のうち、前記内装体の側縁から幅方向中央側に前記内装体の幅の３〜１０％だけ離間した位置に前記内装体に対する取付部分を有し、かつこの取付部分より先端側の部分は、前記内装体の表面側に位置する部分の前後端部のみが前記内装体に対して固定されている、
ことを特徴とするパンツタイプ使い捨ておむつ。
【請求項２】
前記前身頃及び後身頃は、前記サイドシール部の幅方向外側に延出する非接合部を有しており、この非接合部の幅が隣接するサイドシール部の幅よりも広い、請求項１記載のパンツタイプ使い捨ておむつ。
【請求項３】
前記サイドシール部の幅が３〜５ｍｍである、請求項１又は２記載のパンツタイプ使い捨ておむつ。
【請求項４】
前記立体ギャザーにおける前記内装体の表面側の前後端部の固定部は、前後方向長さが３０〜５０ｍｍであり、幅が５〜１０ｍｍである、請求項１記載のパンツタイプ使い捨ておむつ。
【発明の詳細な説明】
【技術分野】
【０００１】
本発明は、パンツタイプ使い捨ておむつに関するものである。
【背景技術】
【０００２】
パンツタイプ使い捨ておむつは、前身頃の両側部と後身頃の両側部とが予め接合され、ウエスト開口部及び左右一対の脚開口部が形成されている製品であり、着用の際には下着のパンツと同様、装着者の両脚をウエスト開口部を介して脚開口部にそれぞれ通した後、ウエストまで引き上げる、といった手順が採られている。
しかし、一般的なパンツタイプ使い捨ておむつは、胴回りや足回りを締め付けるための弾性伸縮部材が設けられており、装着前は全体が一回り小さく収縮しているため、装着者の脚を脚開口部に通す際、脚先が股間部の側部に引っ掛かり易く、脚を通し難いという問題点があった。特に、おむつ内面の股間部の両側部には、いわゆる身体側に起立する立体ギャザーが設けられることが一般的となっており、装着者の脚先がこの立体ギャザーに引っ掛かると、脚先を横に動かすだけでは引っ掛かりがとれ難く、おむつを上げ直す等の煩雑な対処が必要となる場合がある。このため、予め立体ギャザーが邪魔とならないように変形させた状態で、おむつを履かせるといった工夫も行われているが、煩雑であることに変わりはない。
【先行技術文献】
【特許文献】
【０００３】
【特許文献１】特開２００２−２７２７６７号公報
【特許文献２】特表２０００−５０３２４４号公報
【発明の概要】
【発明が解決しようとする課題】
【０００４】
そこで、本発明の主たる課題は、装着者の脚を脚開口部に通し易く、履かせ易いパンツタイプ使い捨ておむつを提供することにある。
【課題を解決するための手段】
【０００５】
上記課題を解決した本発明は次記のとおりである。
＜請求項１記載の発明＞
前身頃の両側部と後身頃の両側部とがそれぞれ接合されてサイドシール部が形成されることにより、ウエスト開口部及び左右一対の脚開口部がそれぞれ形成され、
少なくとも股間部を含む領域に、肌当接面を構成する液透過性表面シートと、不透液性バックシートと、これらの間に介在された吸収体とが設けられ、
少なくとも股間部の幅方向両側部に、おむつ内面から肌側に突出する立体ギャザーがそれぞれ設けられた、パンツタイプ使い捨ておむつにおいて、
前記肌当接面が外面となる裏返し状態とされ、且つ
前記サイドシール部は、前身頃の肌非当接面と後身頃の肌非当接面とを対向させて接合することにより形成されており、
前記液透過性表面シートと前記不透液性バックシートとの間に前記吸収体が介在されてなり、背側から股間部を通り腹側までを覆うように形成された内装体と、この内装体の外面における少なくとも前後のウエスト側端部に張り付けられ、少なくとも胴回りを覆うように形成された外装シートとを備えており、
前記立体ギャザーは、前記内装体の裏面における幅方向両側部から前記内装体の両側を経て前記内装体の表面側に達するように設けられており、
前記立体ギャザーは、前記内装体の裏面における幅方向両側部のうち、前記内装体の側縁から幅方向中央側に前記内装体の幅の３〜１０％だけ離間した位置に前記内装体に対する取付部分を有し、かつこの取付部分より先端側の部分は、前記内装体の表面側に位置する部分の前後端部のみが前記内装体に対して固定されている、
ことを特徴とするパンツタイプ使い捨ておむつ。
【０００６】
（作用効果）
本発明のおむつは予め製品の状態では裏返し状態（肌当接面が外側）となっているため、装着の際には、装着者の脚を脚開口部及びウエスト開口部の順に通した後、おむつをウエストに向かって引き上げつつおむつの表裏が元に戻るようにひっくり返す、といった手順となる。よって、間口がより狭く、通し難い脚開口部に先に脚を入れることができ、その後は両脚先を共通の大きなウエスト開口部に通すだけであるため、従来よりも履かせ易いおむつとなる。
【０００７】
また、本発明のおむつの場合、サイドシール部は、裏返し状態ではおむつの両側部から外方に突出し、且つ装着状態ではおむつの両側部から内方に突出する。よって、従来の一般的なパンツタイプ使い捨ておむつの製造法において、おむつを前後方向中央を境に二つ折りしてサイドシール部を形成する際におけるおむつの折り畳みの向きを逆にするだけで製造できるだけでなく、装着状態ではサイドシール部がおむつ外側に突出しないため、外観の見栄えも良いものとなる。
なお、肌当接面及び肌非当接面は装着状態の向きを意味する。
【０００８】
【０００９】
そして、いわゆる立体ギャザーを有する場合であっても、裏返し状態では、立体ギャザーも肌非当接面側に裏返り、脚開口部に脚を通す際に脚先が引っ掛かり難くなる。よって、従来よりも履かせ易いおむつとなる。
特に、本発明では、おむつを裏返した状態では、立体ギャザーも肌非当接面側に裏返り、脚開口部に脚を通す際に脚先が引っ掛かり難くなるだけでなく、立体ギャザーの内装体に対する取付部分が内装体の側縁から幅方向中央側に十分に離間しているため、おむつを裏返した状態では、立体ギャザーが内装体の肌非当節面側において幅方向中央側に移動できる。その結果、股間部の幅が立体ギャザーにより増加し難く、また立体ギャザーに脚先が当たったとしても、立体ギャザーが幅方向中央側に押しのけられるようになる。よって、脚開口部に脚を通す際、より一層、脚先が脚開口部に引っ掛かり難くなる。
【００１０】
＜請求項２記載の発明＞
前記前身頃及び後身頃は、前記サイドシール部の幅方向外側に延出する非接合部を有しており、この非接合部の幅が隣接するサイドシール部の幅よりも広い、請求項１記載のパンツタイプ使い捨ておむつ。
【００１１】
（作用効果）
本発明のおむつは、装着状態ではサイドシール部がおむつ内面に突出する。サイドシール部は前身頃と後身頃とを接合している部分であるため、他の部分と比べて硬質であり、これがおむつ内面に突出して肌に接触すると装着感が悪化するおそれがある。これに対して、上述のように、サイドシール部の幅方向外側にサイドシール部よりも広い非接合部を設けると、非接合部を折り返してサイドシール部全体を覆うことができ、サイドシール部がむき出しで肌に触れることによる装着感の悪化を防止又は軽減することができる。
【００１２】
＜請求項３記載の発明＞
前記サイドシール部の幅が３〜５ｍｍである、請求項１又は２記載のパンツタイプ使い捨ておむつ。
【００１３】
（作用効果）
このように、サイドシール部の幅を十分に狭くすると、装着時におむつ内面に突出するサイドシール部の突出が殆ど無くなり、装着感の悪化を防止又は軽減することができる。
【００１４】
【００１５】
【００１６】
＜請求項４記載の発明＞
前記立体ギャザーにおける前記内装体の表面側の前後端部の固定部は、前後方向長さが３０〜５０ｍｍであり、幅が５〜１０ｍｍである、請求項１記載のパンツタイプ使い捨ておむつ。
【００１７】
（作用効果）
このように、立体ギャザーにおける内装体の表面側の前後端部の固定部を、狭く且つ短くすることにより、おむつを裏返した状態で立体ギャザーが横に大きくはみ出ず、股間幅が狭くなり、もって脚開口部への脚通しが容易となるため好ましい。
【発明の効果】
【００１８】
以上のとおり、本発明によれば、装着者の脚を脚開口部に通し易く、履かせ易いパンツタイプ使い捨ておむつとなる、等の利点がもたらされる。
【図面の簡単な説明】
【００１９】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】図１の５−５断面図である。
【図６】パンツタイプ使い捨ておむつの要部のみを示す、おむつを展開した状態における平面図である。
【図７】パンツタイプ使い捨ておむつの要部のみを示す、断面図である。
【図８】裏返し状態（装着前状態）のパンツタイプ使い捨ておむつの斜視図である。
【図９】装着状態のパンツタイプ使い捨ておむつの斜視図である。
【図１０】サイドシール部を概略的に示す平面図である。
【図１１】各種のサイドシールパターンを示す概略図である。
【図１２】装着方法を比較的に示す概略図である。
【発明を実施するための形態】
【００２０】
以下、本発明の実施形態について、添付図面を参照しつつ詳説する。
図１〜図９は、パンツタイプ使い捨ておむつの一例１００を示している。このパンツタイプ使い捨ておむつ１００は、装着状態における肌非当接面である外面（裏面）をなす外装シート１２と、外装シートの装着状態における肌当接面である内面（表面）に貼り付けられた内装体２００とから構成されているものである。内装体２００は、尿等の排泄物等を吸収保持する部分であり、外装シート１２は着用者に装着するための部分である。なお、断面図における点模様部分は各構成部材を接合する接合部分を示しており、ホットメルト接着剤などのベタ、ビード、カーテン、サミットまたはスパイラル塗布などにより形成されるものである。なお、「前後方向」とは腹側（前側）と背側（後側）を結ぶ方向を意味し、「幅方向」とは前後方向と直交する方向（左右方向）を意味し、「上下方向」とはおむつ１００の装着状態、すなわちおむつ１００の前身頃両側部と後身頃量側部を重ね合わせるようにおむつ１００を股間部で２つに折った際に胴回り方向と直交する方向、換言すればウエスト開口部ＷＯ側と股間部側とを結ぶ方向を意味する。
【００２１】
（内装体）
内装体２００は任意の形状を採ることができるが、図示の形態では長方形である。内装体２００は、図３〜図５に示されるように、身体側となる表面シート３０と、不透液性バックシート１１と、これらの間に介在された吸収要素５０とを備えているものであり、吸収機能を担う本体部である。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立する立体ギャザー６０を示している。
【００２２】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００２３】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００２４】
立体ギャザー６０を設ける場合、表面シート３０の両側部は、不透液性バックシート１１と立体ギャザー６０との間を通して、吸収要素５０の裏側まで回りこませ、液の浸透を防止するために、不透液性バックシート１１及び立体ギャザー６０に対してホットメルト接着剤等により接着するのが好ましい。
【００２５】
（中間シート）
表面シート３０を透過した液を速やかに吸収要素５０へ移行させるために、表面シート３０より液の透過速度が速い、中間シート（「セカンドシート」とも呼ばれている）４０を設けることができる。この中間シート４０は、液を速やかに吸収体５６側へ移行させて吸収体５６による吸収性能を高めるばかりでなく、吸収した液の吸収体５６からの「逆戻り」現象を防止し、表面シート３０上を常に乾燥した状態とすることができる。中間シート４０は省略することもできる。
【００２６】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００２７】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００２８】
（不透液性バックシート）
不透液性バックシート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。不透液性バックシート１１には、近年、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも、不透液性バックシート１１として用いることができる。
【００２９】
不透液性バックシート１１は、防漏性を高めるために、吸収要素５０の両側を回りこませて吸収要素５０の表面シート３０側面の両側部まで延在させるのが好ましい。この延在部の幅は、左右それぞれ５〜２０ｍｍ程度が適当である。
【００３０】
また、不透液性バックシート１１の内側、特に吸収体５６側面に、液分の吸収により色が変化する排泄インジケータ８０を設けることができる。
【００３１】
（立体ギャザー）
立体ギャザー６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態の立体ギャザー６０は、内装体２００の側部から起立するように設けられ、付け根側の部分は幅方向中央側に向かって斜めに起立し、中間部より先端側の部分は幅方向外側に向かって斜めに起立するものである。
【００３２】
より詳細には、立体ギャザー６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸張状態で、幅方向に間隔をあけて複数本固定してなるものである。立体ギャザー６０のうち幅方向において折り返し部分と反対側の端部は内装体２００の側縁部の裏面（図示例は、不透液性バックシート１１の両側部となっているが、表面シート３０の裏面側巻き込み部分でも良い）に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸張状態で固定されている。
【００３３】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。また、図示のように、二つに折り重ねたバリヤーシートの間に防水フィルムを介在させることもできる。
【００３４】
立体ギャザー６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００３５】
立体ギャザー６０の取付部分６５の固定対象は、内装体２００における表面シート３０、不透液性バックシート１１、吸収要素５０等適宜の部材とすることができる。
【００３６】
かくして構成された立体ギャザー６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００３７】
立体ギャザー６０の寸法は適宜定めることができるが、乳幼児用紙おむつの場合は、例えば図７に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００３８】
なお、図示形態と異なり、内装体２００の左右各側において立体ギャザーを二重に（二列）設けることもできる。
【００３９】
（吸収要素）
吸収要素５０は、吸収体５６と、この吸収体５６の全体を包む包装シート５８とを有する。包装シート５８は省略することもできる。
【００４０】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４１】
吸収体５６は長方形形状でも良いが、図６にも示すように、前端部、後端部及びこれらの間に位置し、前端部及び後端部と比べて幅が狭い括れ部とを有する砂時計形状を成していると、吸収体５６自体と立体ギャザー６０の、脚回りへのフィット性が向上するため好ましい。
【００４２】
また、吸収体の寸法は適宜定めることができるが、前後方向及び幅方向において、内装体の周縁部又はその近傍まで延在しているのが好ましい。
【００４３】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４４】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００４５】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４６】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４７】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００４８】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００４９】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００５０】
（外装シート）
外装シート１２は、股間部から腹側に延在する前身頃Ｆと、股間部から背側に延在する後身頃Ｂとを有し、これら前身頃Ｆの両側部と後身頃Ｂの両側部とが接合されてサイドシール部１２Ａが形成されることにより、図９に示すように、装着者の胴を通すためのウエスト開口部ＷＯ及び脚を通すための左右一対の脚開口部ＬＯが形成されているものである。なお、股間部とは、展開状態における前身頃のウエスト端縁から後身頃のウエスト端縁までの前後方向中央を意味し、それよりも前側の部分及び後側の部分が前身頃Ｆ及び後身頃Ｂをそれぞれ意味する。
【００５１】
外装シート１２は、胴開口部ＷＯから脚開口部ＬＯの上端に至る前後方向範囲として定まる胴周り部Ｔと、脚開口部ＬＯを形成する部分の前後方向範囲として定まる中間部Ｌとを有する。胴周り部Ｔは、概念的に「ウエスト側端部」Ｗと「胴周り下部」Ｕとに分けることができる。これらの前後方向の長さは、製品のサイズによって異なり、適宜定めることができるが、一例を挙げると、ウエスト側端部Ｗは１５〜４０ｍｍ、胴周り下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図９に示す形態のように、すっきりとした外観とするために最も幅が狭い部分では内装体２００の幅より狭くすることが好ましいが、最も幅が狭い部分でも内装体２００の幅以上となるように定めてもよい。
【００５２】
外装シート１２は、図３〜図５に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を回り込んでその内側に折り返されており、この折り返し部分１２ｒは内装体２００のウエスト側端部上までを被覆するように延在されている。
【００５３】
シート基材１２Ｓ，１２Ｈとしては、シート基材であれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００５４】
また、外装シート１２を通して後述する印刷シート２５のデザインを装着状態の外面から良好に視認できるように、外装シート１２の総目付けは２０〜６０ｇ／ｍ2程度であるのが好ましく、外装シート１２のＪＩＳ Ｋ ７１０５に規定される全光線透過率が４０％以上、特に５０％以上となっているのが好ましい。
【００５５】
そして、外装シート１２には、胴回りに対するフィット性を高めるために、両シート基材１２Ｓ，１２Ｈ間に糸ゴム等の細長状弾性伸縮部材１５〜１９が所定の伸張率で設けられている。細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着またはヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００５６】
より詳細には、後身頃Ｂ及び前身頃Ｆのウエスト端部（上端部）Ｗにおける内側シート基材１２Ｈの内側面と外側シート基材１２Ｓの折り返し部分１２ｒの外側面との間には、幅方向全体にわたり連続するように、複数のウエスト部弾性伸縮部材１７，１８が上下方向に間隔を空けて、かつ所定の伸張率で幅方向に沿って伸張された状態で固定されている。また、ウエスト部弾性伸縮部材１７，１８のうち、胴周り下部Ｕに隣接する領域に配設される１本または複数本については、内装体２００と重なっていてもよいし、内装体２００と重なる幅方向中央部を除いてその幅方向両側にそれぞれ設けてもよい。このウエスト弾性伸縮部材１７，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸張率１５０〜４００％、特に２２０〜３２０％程度で固定するのが好ましい。また、ウエスト部弾性伸縮部材１７，１８は、その全てが同じ太さと伸張率にする必要はなく、例えばウエスト側端部Ｗの上部と下部で弾性伸縮部材の太さと伸張率が異なるようにしてもよい。
【００５７】
また、前身頃Ｆ及び後身頃Ｂの胴周り下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、複数の細長状弾性伸縮部材１５，１９が上下方向に間隔を空けて、かつ所定の伸張率で幅方向に沿って伸張された状態で固定されている。
【００５８】
胴回り下部Ｕの細長状弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸張率２００〜３５０％、特に２４０〜３００％程度で固定するのが好ましい。
【００５９】
また、前身頃Ｆ及び後身頃Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、複数の細長状弾性伸縮部材１６が上下方向に間隔を空けて、かつ所定の伸張率で幅方向に沿って伸張された状態で固定されている。
【００６０】
中間部Ｌの細長状弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸張率１５０〜３００％、特に１８０〜２６０％で固定するのが好ましい。
【００６１】
なお、図示のように、胴回り下部Ｕ及び中間部Ｌの細長状弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがないため好ましい。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。もちろん細長状弾性伸縮部材１５，１９，１６，１８の配設形態は上記例に限るものではなく、胴回り下部Ｕの幅方向全体にわたり伸縮力が作用するように、胴回り下部Ｕの細長状弾性伸縮部材１５，１９，１６，１８の一部または全部を、内装体２００を横切ってその幅方向一方側から他方側まで設けることもできる。
【００６２】
また、細長状弾性伸縮部材１５〜１９が後述する印刷シート２５を横切る場合において、細長状弾性伸縮部材１５〜１９として酸化チタンを含有するゴムを用いる場合には、酸化チタンの含有量が低い（例えば２％以下の）ものあるいは酸化チタンを含有しないものを用いるのが好ましい。
【００６３】
（後処理テープ）
外装シート１２の後身頃Ｂの装着状態の外面における幅方向中央部には、後処理テープ７０（固定手段）が設けることができる。後処理テープ７０は、おむつ１００を表面シート３０が内側に且つ前身頃Ｆが内側となるように丸め若しくは折り畳んだ状態で固定するためのものである。一般的な後処理テープ７０は、図５に示すように、基端部７１が外装シート１２の装着状態の外面に接着剤等により固定されるとともに、この基端部７１よりも先端側の部分は三つ折り（断面Ｚ字状）や二つ折りで折り畳まれて、折り重なり部分間が仮止め接着剤７２により剥離可能に固定（仮固定）されている。また、先端部に白色等の不透明色に着色された摘み部７３を有するとともに、この摘み部７３を除く部分が透明または半透明であり、この後処理テープ７０における透明または半透明の部分を通して、後処理テープ７０の外面側から後述するデザインが視認可能になっている。具体的な構造は適宜構成することができるが、図示形態では、全体を透明又は半透明の複数の基材を長手方向に連結して形成するとともに、摘み部７３に着色テープ７４を張り合わせた構造を採用している。
【００６４】
廃棄時には、おむつ１００を表面シート３０が内側になるとともに前身頃Ｆが内側となるように丸め若しくは折り畳んだ後、後処理テープ７０の折り重なり部分を剥離して展ばし、丸めた若しくは折り畳んだおむつ１００の後身頃Ｂからウエスト開口部ＷＯを越えて反対側の外面まで巻き付けるようにして接着剤により固定する。後処理テープ７０は、不使用時にはコンパクトに折り畳まれ、使用時には長尺状に展開できる三つ折り形状のものが特に好適である。
後処理テープ７０等の固定手段は、前身頃Ｆに設けてもよく、後身頃Ｂと前身頃Ｆの両方に設けてもよい。
【００６５】
（印刷シート）
不透液性バックシート１１と外装シート１２との間（外装シート１２の層間を含む）には、印刷によりデザインの施された印刷シート２５が設けられている。外装シート１２を省略し、印刷シート２５が装着状態の外面に露出する形態とすることもできる。また、図示例の印刷シート２５は、それが配置される身頃よりも小さい面積を有しており、前身頃Ｆ及び後身頃Ｂに個別に設けられているが、前身頃Ｆから股間部を通り後身頃Ｂまで一体的に連続するように設けることもできる。
【００６６】
印刷シート２５の寸法・形状は特に限定されないが、機能を十分なものとするためには十分に面積を大きくするのが好ましく、例えば、印刷シート２５の幅は吸収体５６の幅の５０〜１２０％程度であるのが好ましく、印刷シート２５の長さは少なくとも腹側及び背側の片側で物品全長Ｙの１５〜３０％程度であるのが好ましい。また、印刷シート２５の形状はトリムロスが発生しない点では図示例のような矩形であるのが好ましいが、円形や楕円形、三角形、六角形等の幾何学形状、若しくはデザインの周囲に沿う形状にカットしても良い。
【００６７】
印刷シート２５のシート基材としては、プラスチックフィルムや不織布、紙などを用いることができるが、嵩高く通気性の高い素材が好ましい。プラスチックフィルムを用いる場合は、ムレ防止のため透湿性を有することが望ましい。不織布や紙は透湿性を有するため好ましく、デザイン印刷を施す場合、不織布にあっては平滑性が高く印刷しやすいもの、紙にあっては強度が高くインクの滲み難いものを用いるのが好ましい。特に好ましいものとしては、目付け１５〜３５ｇ／ｍ2程度、厚み０．１〜０．３ｍｍ程度のクレープ紙（薄葉紙）や、目付け１０〜２５ｇ／ｍ2程度、厚み０．１〜０．３ｍｍ程度の不織布（特にスパンボンド部の繊度が１．０〜３．０ｄｔｅｘ程度のスパンボンド不織布やＳＭＳ不織布）を挙げることができる。クレープ紙を用いる場合は、クレープ率は５〜２０％程度、特に５〜１５％程度のものを用いるのが好ましい。クレープ率が２０％以上であると、インクの定着量は大きくなるが滲みが生じてデザイン印刷には適さない。クレープ率が５％以下であるとインクが浸透しにくいため定着量が少ない。
【００６８】
（外装シート分割構造）
上述の例では、前身頃Ｆから後身頃Ｂまでを一体的な外装シート１２により連続的に覆っているが、外装シートが、装着者の胴回りのうち腹側を覆う腹側外装シートと背側を覆う背側外装シートとに分割されており、腹側外装シートの幅方向中央部内面（装着状態）に内装体の前端部がホットメルト接着剤等により連結されるとともに、背側外装シートの幅方向中央部内面（装着状態）に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における不透液性バックシートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。股間部外装シートも本発明の外装シートに相当する。
【００６９】
（主な特徴部分）
特徴的には、本発明に係る使い捨ておむつは、図８に示すように肌当接面が外面となるように裏返した状態とされるとともに、サイドシール部１２Ａは、前身頃Ｆの肌非当接面と後身頃Ｂの肌非当接面とを対向させて接合することにより形成されている。このように、予め製品の状態では裏返し状態（肌当接面が外側）とされていると、装着の際には、図１２（ａ）に示すように、装着者の脚３００を脚開口部ＬＯ及びウエスト開口部ＷＯの順に通した後、おむつ１００をウエストに向かって引き上げつつ、図１２（ｂ）に示すように、おむつ１００の表裏が元に戻るようにひっくり返す、といった手順となる。よって、間口がより狭く、通し難い脚開口部ＬＯに先に脚３００を入れることができ、その後は両脚先を共通の大きなウエスト開口部ＷＯに通すだけであるため、従来よりも履かせ易い。
【００７０】
特に、図示例のように立体ギャザー６０を有する場合であっても、裏返し状態では、図８に示されるように、立体ギャザー６０が肌非当接面側に裏返り、脚開口部ＬＯに脚を通す際に脚先が引っ掛かり難くなる。また、図示例のように、立体ギャザー６０が、内装体２００の裏面に取付部分６５を有する形態において、取付部分６５の側縁と内装体２００の側縁との離間距離Ｗ７が、内装体２００の幅の３〜１０％程度であると、おむつを裏返した状態では、立体ギャザー６０が内装体２００の肌非当節面側において幅方向中央側に移動できるようになり、股間部の幅が立体ギャザー６０により増加し難く、また立体ギャザー６０に脚先が当たったとしても、立体ギャザー６０が幅方向中央側に押しのけられるようになり、脚先の引っ掛かり防止効果がより一層のものとなる。さらに、立体ギャザー６０における内装体２００の表面側の前後端部の固定部６７，６７を狭く且つ短くすると、おむつを裏返した状態で立体ギャザー６０が横に大きくはみ出ず、股間幅が狭くなり、もって脚開口部への脚通しが容易となるため好ましい。具体的には、前後方向長さ６７Ｙは３０〜５０ｍｍ程度とするのが好ましく、幅６７Ｘは５〜１０ｍｍ程度とするのが好ましい。
【００７１】
他方、上述のおむつの場合、サイドシール部１２Ａは、図８に示される裏返し状態ではおむつの両側部から外方に突出するものの、装着状態では図９に示されるようにおむつの両側部から内方に突出することとなるため、外観の見栄えも良いものとなる。また、このようなサイドシール部１２Ａは、従来の一般的なパンツタイプ使い捨ておむつの製造法において、おむつを前後方向中央を境に二つ折りしてサイドシール部１２Ａを形成する際におけるおむつの折り畳みの向きを逆にするだけで製造できる。
【００７２】
サイドシール部１２Ａのパターンは、適宜定めることができ、縦方向に連続線状に設けることもできるが、ヒートシール等の溶着手段の場合、分断してしまうおそれがあるため、図１１に示すように、点線状（間欠的）に設けるのが好ましい。また、点線状にサイドシール部を設ける場合、各接合点の形状は、図１１（ａ）に示すような円形（楕円形でも良い）、図１１（ｂ）に示すような縦長長方形、図１１（ｃ）に示すような横長長方形など、適宜定めることができる。ただし、サイドシール部１２Ａは他の部分よりも硬質であり、これがおむつ内面に突出するため、横長長方形の場合のように幅のあるデザインは好ましくない。一方縦長長方形の場合は、サイドシール１２Ａの幅が狭くなり装着した際の違和感を軽減し易いが、ヒートシール強度を確保するのは困難となる。よって、図１１の例の中では、装着間及び強度のバランスが良いことから、（ａ）の円形が好ましい。さらに、この観点から、サイドシール部１２Ａの幅Ｗ８は十分に狭く、具体的には３〜５ｍｍ程度であると、図１０（ａ）に示すように、装着時におむつ内面に突出するサイドシール部１２Ａの突出が殆ど無くなり、装着感の悪化を防止又は軽減することができる。
【００７３】
他方、パンツタイプ使い捨ておむつにおいては、その製造方法に起因して、前身頃Ｆ及び後身頃Ｂにおける、サイドシール部１２Ａの幅方向外側に非接合部１２Ｂを有している。従来、この非接合部１２Ｂの幅は短く、何も利用できないものであるが、本発明では、この非接合部１２Ｂの幅Ｗ９を隣接するサイドシール部１２Ａの幅Ｗ８よりも広くすることにより、装着の際、図９、図１０に示すように、この非接合部１２Ａを折り返して、おむつ内面に突出するサイドシール部１２Ａ全体を被覆できるようにすることも提案される。これにより、おむつ内面に突出するサイドシール部１２Ａがむき出しで肌に触れることによる装着感の悪化を防止又は軽減することができる。具体的に、非接合部の幅Ｗ９は、１０〜３０ｍｍ程度とするのが好ましい。
【００７４】
また、通常の場合、パンツタイプ使い捨ておむつの前後は、デザイン印刷や、後処理テープ７０の有無で判断できるが、裏返された製品ではこれら目印等の識別要素が外面にないため、前後の判別が困難となるおそれがある。よって、前後を分かりやすくするため、外装シート１２に設ける弾性伸縮部材１５〜１９の色を、前身頃Ｆと後身頃Ｂとで異なるものとし（具体的にはいずれか一方又は両方に着色を行う）、前後判別の目印とするのも好ましい。
【産業上の利用可能性】
【００７５】
本発明は、上記例のようなパンツタイプ使い捨ておむつに利用できるものである。
【符号の説明】
【００７６】
１１…不透液性バックシート、１２…外装シート、１２ｒ…折り返し部分、２５…印刷シート、２００…内装体、３０…トップシート、４０…中間シート、５０…吸収要素、５６…吸収体、５８…包装シート、６０…立体ギャザー、６２…バリヤーシート。
【図１】
0005441590.tif 000002
【図２】
0005441590.tif 000003
【図３】
0005441590.tif 000004
【図４】
0005441590.tif 000005
【図５】
0005441590.tif 000006
【図６】
0005441590.tif 000007
【図７】
0005441590.tif 000008
【図８】
0005441590.tif 000009
【図９】
0005441590.tif 000010
【図１０】
0005441590.tif 000011
【図１１】
0005441590.tif 000012
【図１２】
0005441590.tif 000013